(57)【要約】【課題】ユーザーが受信チャンネルを決定するための操作は煩雑であり、操作回数が多いと、車載オーディオにおいては、安全な運転の妨げとなる危険性があるため、スキャン中に複数の予約番組を予約指示できるとともに、所望の番組を少ない操作で視聴できる放送受信装置を提供すること。【解決手段】本発明の放送受信装置は、受信可能な番組を順次スキャンし、スキャン中に１つ以上の予約番組を予約指示できる放送受信装置であって、スキャンの終了後には、最後に登録した予約番組を受信することを特徴とする。【選択図】        図１
2013211659.tif 000002
【特許請求の範囲】
【請求項１】
受信可能な番組を順次スキャンし、スキャン中に１つ以上の予約番組を予約指示できる放送受信装置であって、スキャンの終了後には、最後に登録した前記予約番組を受信することを特徴とする放送受信装置。
【請求項２】
複数の前記予約番組を記憶部に登録し、前記スキャン終了後には、操作部の操作によって、最後に登録した前記予約番組に代えて他のいずれかの前記予約番組を受信できることを特徴とする請求項１に記載の放送受信装置。
【請求項３】
最後に登録した前記予約番組だけを記憶部に記憶することを特徴とする請求項１に記載の放送受信装置。
【請求項４】
最後に登録した前記予約番組の情報を表示部に表示することを特徴とする請求項１から請求項３のいずれかに記載の放送受信装置。
【請求項５】
前記表示部に表示する前記情報として、番組名、放送局名、受信映像、及び周波数のいずれかを含めたことを特徴とする請求項４のいずれかに記載の放送受信装置。
【請求項６】
前記スキャンの終了を、前記スキャンの開始時に受信していた前記番組までとしたことを特徴とする請求項１から請求項５のいずれかに記載の放送受信装置。
【請求項７】
車載用としたことを特徴とする請求項１から請求項６のいずれかに記載の放送受信装置。
【発明の詳細な説明】
【技術分野】
【０００１】
本発明は、スキャン機能を有する放送受信装置に関する。
【背景技術】
【０００２】
従来のスキャン機能を有する放送受信装置は、スキャン中にユーザーが気に入った放送が見つかった場合に、そこでスキャン動作をとめることで選局していた。しかし、スキャンしていない周波数において、よりユーザーが好む放送が存在する可能性があり、ユーザーの要望を完全に満たしているとは言えなかった。
また、ユーザーが全周波数を試聴して最も聞きたい放送を見つけた場合でも、２周目のスキャンを行うか、ユーザーが自身で周波数を覚えて選局するか、どちらかの方法をとる必要があり、操作性を損なっていた。
特許文献１では、「登録キー」により、複数のチャンネルを登録し、スキャンが終わった時点において、メモリに記憶されている複数のチャンネルをスキャンすることができ、「決定キー」により受信チャンネルを確定できることを提案している。
【先行技術文献】
【特許文献】
【０００３】
【特許文献１】特開２００２−０１６８４５号公報
【発明の概要】
【発明が解決しようとする課題】
【０００４】
しかし、特許文献１の方法では、ユーザーが受信チャンネルを決定するためには最低でも２回の操作が必要であり、操作が煩雑であった。また、操作回数が多いと、車載オーディオにおいては、安全な運転の妨げとなる危険性がある。
【０００５】
本発明は、スキャン中に複数の予約番組を予約指示できるとともに、所望の番組を少ない操作で視聴できる放送受信装置を提供することを目的とする。
【課題を解決するための手段】
【０００６】
請求項１記載の本発明の放送受信装置は、受信可能な番組を順次スキャンし、スキャン中に１つ以上の予約番組を予約指示できる放送受信装置であって、スキャンの終了後には、最後に登録した前記予約番組を受信することを特徴とする。
請求項２記載の本発明は、請求項１に記載の放送受信装置において、複数の前記予約番組を記憶部に登録し、前記スキャン終了後には、操作部の操作によって、最後に登録した前記予約番組に代えて他のいずれかの前記予約番組を受信できることを特徴とする。
請求項３記載の本発明は、請求項１に記載の放送受信装置において、最後に登録した前記予約番組だけを記憶部に記憶することを特徴とする。
請求項４記載の本発明は、請求項１から請求項３のいずれかに記載の放送受信装置において、最後に登録した前記予約番組の情報を表示部に表示することを特徴とする。
請求項５記載の本発明は、請求項４のいずれかに記載の放送受信装置において、前記表示部に表示する前記情報として、番組名、放送局名、受信映像、及び周波数のいずれかを含めたことを特徴とする。
請求項６記載の本発明は、請求項１から請求項５のいずれかに記載の放送受信装置において、前記スキャンの終了を、前記スキャンの開始時に受信していた前記番組までとしたことを特徴とする。
請求項７記載の本発明は、請求項１から請求項６のいずれかに記載の放送受信装置において、車載用としたことを特徴とする。
【発明の効果】
【０００７】
本発明によれば、スキャン中に複数の予約番組を予約指示できるとともに、少ない操作で、所望の番組を視聴することができる。
【図面の簡単な説明】
【０００８】
【図１】本発明の実施の形態における放送受信装置の構成を示すブロック図
【図２】同装置の処理流れを示すフローチャート
【図３】同装置の動作を示す説明図
【図４】同装置の表示状態を示す説明図
【図５】放送受信装置の表示部の一例
【発明を実施するための形態】
【０００９】
本発明の第１の実施の形態による放送受信装置は、スキャンの終了後には、最後に登録した予約番組を受信するものである。本実施の形態によれば、スキャン中に１つ以上の予約番組を予約指示できるとともに、少ない操作で、所望の番組を視聴することができる。
【００１０】
本発明の第２の実施の形態は、第１の実施の形態による放送受信装置において、複数の予約番組を記憶部に登録し、スキャン終了後には、操作部の操作によって、最後に登録した予約番組に代えて他のいずれかの予約番組を受信できるものである。本実施の形態によれば、スキャン終了後に、最後に予約指示した予約番組が気に入らない場合に、再度のスキャンを行うことなく、既に予約指示した予約番組の中から受信を行うことができる。
【００１１】
本発明の第３の実施の形態は、第１の実施の形態による放送受信装置において、最後に登録した予約番組だけを記憶部に記憶するものである。本実施の形態によれば、記憶部の容量を小さくすることができる。
【００１２】
本発明の第４の実施の形態は、第１から第３の実施の形態による放送受信装置において、最後に登録した予約番組の情報を表示部に表示するものである。本実施の形態によれば、最後に登録した予約番組を覚えておく必要が無く、現在受信している番組と最後に登録した予約番組とを比較することができる。
【００１３】
本発明の第５の実施の形態は、第４の実施の形態による放送受信装置において、表示部に表示する情報として、番組名、放送局名、受信映像、及び周波数のいずれかを含めたものである。本実施の形態によれば、いずれかの情報を含むことで最後に登録した予約番組を判別することができる。
【００１４】
本発明の第６の実施の形態は、第１から第５の実施の形態による放送受信装置において、スキャンの終了を、スキャンの開始時に受信していた番組までとしたものである。本実施の形態によれば、視聴中の番組を起点としてスキャンを行うことで、スキャン時間を短縮できる。
【００１５】
本発明の第７の実施の形態は、第１から第６の実施の形態による放送受信装置において、車載用としたものである。本実施の形態によれば、運転に支障をきたす操作を減少させ、安全性を高めることができる。
【実施例】
【００１６】
以下、本発明の一実施例による放送受信装置について図面を参照しながら説明する。
【００１７】
図１は本実施例における放送受信装置の構成を示すブロック図である。
放送受信装置は、放送を受信するチューナー１と、音声を出力するスピーカー２と、チューナー１を操作するための操作部１０と、操作部１０の操作によりチューナー１を制御する制御部２０と、受信に関する情報を表示する表示部３と、受信に関する情報を記憶する記憶部４とを備えている。スピーカー２にはアンプ２ａが接続されている。
【００１８】
操作部１０は、スキャンキー１１、予約キー１２、予約変更キー１３、終了キー１４、及びチャンネルキー１５を有している。
スキャンキー１１は、スキャン動作の開始と終了を指示する。スキャンキー１１の操作によってスキャン動作が開始し、所定の周波数域をスキャンした後にスキャン動作は終了するが、スキャン中の新たな指示によってスキャン動作を解除して途中終了させることもできる。
予約キー１２は、スキャン中に操作することによって番組を予約指示する。
予約変更キー１３は、スキャン中に複数の予約番組を記憶部４に登録している場合に、スキャン終了後に登録した予約番組を選択する。
終了キー１４は、チューナー１での視聴の終了、テレビチューナーからラジオチューナーへの変更、放送受信からＤＶＤ機器への切り替えを行う。
チャンネルキー１５は、スキャン動作以外のタイミングで特定の放送局を指定する。
【００１９】
制御部２０は、スキャン指示検出手段２１、番組検索手段２２、番組検出手段２３、及び視聴手段２４を有している。
スキャン指示検出手段２１は、スキャンキー１１の操作を検出する。スキャン指示検出手段２１は、スキャン開始を検出すると番組検索手段２２に検索開始を指示する。
番組検索手段２２からの信号によって、チューナー１は、現在放送中の番組を順次検索する。スキャンは、スキャンの開始時に受信していた番組の周波数を起点とし、スキャンの開始時に受信していた番組の周波数を終点として行う。
番組検出手段２３は、スキャン中に放送中の番組を検出する。番組検出手段２３が放送中の番組を検出すると、視聴手段２４によってその番組を受信する。
視聴手段２４では、番組検出手段２３が次の番組を検出するまでその番組の受信を継続する。なお、視聴手段２４では、あらかじめ定めた所定時間、視聴を継続することが好ましい。
【００２０】
また、制御部２０は、予約指示検出手段２５、予約手段２６、及び予約更新手段２７を有している。
予約指示検出手段２５は、予約キー１２の操作を検出する。
予約手段２６は、予約指示検出手段２５からの予約指示を受けた時点での番組検出手段２３が検出している番組を予約番組として記憶部４に登録する。
予約更新手段２７では、新たな予約番組が登録されると、最後に登録した予約番組として登録を更新し、表示部３において最後に登録した予約番組の情報を表示する。
スキャン指示検出手段２１がスキャン終了指示を検出すると、番組検索手段２２での検索を中止し、また予約手段２６を介して記憶部４に登録した予約番組を消去し、予約更新手段２７からの情報をリセットする。
番組検索手段２２における検索が終了すると、予約更新手段２７により、最後に登録した予約番組を視聴手段２４で受信する。
予約手段２６では、予約変更キー１３からの指示によって、視聴中の予約番組とは異なる予約番組を記憶部４から抽出する。
【００２１】
図２は本実施例における放送受信装置の処理流れを示すフロー図である。
スキャンキー１１からの操作によって、スキャン指示検出手段２１がスキャン開始を検出すると、番組検索手段２２によってチューナー１でのスキャンが開始する（ステップ１）。
ステップ１におけるスキャン開始時に受信していた番組は、番組検出手段２３から予約手段２６に対して指示が出され、記憶部４に予約番組として登録される。
スキャンは、スキャンの開始時に受信していた番組の周波数を起点とし、検索未実施の範囲で現在放送中の番組を検索する（ステップ２）。
【００２２】
番組検出手段２３において、新たな番組が検出されると（ステップ３）、検出した番組を受信する（ステップ４）。受信した番組は、視聴手段２４によって所定時間視聴することができる。
視聴手段２４による視聴時間内に、決定キー（スキャンキー１１によるスキャン終了）又は予約キー１２が操作されたか否かが判断される（ステップ５）。
ステップ５において、決定キー及び予約キー１２のいずれも操作されなかったと判断された場合には、ステップ２に戻って検索を継続する。
ステップ５において、決定キー又は予約キー１２が操作されたと判断された場合には、操作されたキーが予約キー１２か否かが判断される（ステップ６）。
ステップ６において、予約キー１２が操作されたと判断された場合には、予約手段２６は、予約内容を受信中の番組に更新し（ステップ７）、予約更新手段２７によって表示部３の予約内容の画面表示を受信中の番組に更新し（ステップ８）、ステップ２に戻って検索を継続する。
ステップ６において、決定キーが操作されたと判断された場合には、スキャンを解除して、決定キーが操作されたタイミングでの番組を受信する（ステップ９）。
【００２３】
ステップ３において、スキャンが終了して新たな番組を検出しない場合には、スキャン中に予約番組が登録されたか否かが判断される（ステップ１０）。
ステップ１０において、予約番組がある場合には、予約番組を受信する（ステップ１１）。
ステップ１０において、複数の予約番組が登録されている場合には、ステップ１１では、最後に登録された予約番組を受信する。
ステップ１０において、予約番組が無い場合には、スキャン前の番組を受信する（ステップ１２）。
ステップ１１において、予約番組が受信されると、番組が視聴される。
番組視聴中に、終了キー１４又はチャンネルキー１５が操作されたか否かが判断される（ステップ１３）。
【００２４】
ステップ１３において、終了キー１４又はチャンネルキー１５が操作されたと判断されると、記憶部４に記憶された予約番組は解除され（ステップ１４）、予約変更キー１３の表示も消去される（ステップ１５）。そして、終了キー１４の場合には、番組視聴が中止され、チャンネルキー１５の場合には、チャンネルで指示した番組を受信する（ステップ１６）。
ステップ１３において、終了キー１４及びチャンネルキー１５が操作されていないと判断された場合には、予約変更キー１３で進むキー操作が行われたか否かが判断される（ステップ１７）。
【００２５】
ステップ１７において、予約変更キー１３で進むキー操作が行われたと判断された場合には、１つ後に予約した予約番組を受信する（ステップ１８）。
ステップ１８における予約番組の受信によって予約番組の視聴を行うが、予約番組視聴中には、ステップ１３において終了キー１４又はチャンネルキー１５が操作されたか否かが判断される。
ステップ１７において、予約変更キー１３で進むキー操作が行われていないと判断された場合には、戻るキー操作が行われたか否かが判断される（ステップ１９）。
【００２６】
ステップ１９において、予約変更キー１３で戻るキー操作が行われたと判断された場合には、１つ前に予約した予約番組を受信する（ステップ２０）。
ステップ２０における予約番組の受信によって予約番組の視聴を行うが、予約番組視聴中には、ステップ１３において終了キー１４又はチャンネルキー１５が操作されたか否かが判断される。
ステップ１９において、予約変更キー１３で戻るキー操作が行われていないと判断された場合には、予約番組視聴中には、ステップ１３において終了キー１４又はチャンネルキー１５が操作されたか否かが判断される。
【００２７】
図３は本実施例における放送受信装置の動作を示す説明図である。
図３（ａ）は、スキャン開始時に、ｃｈ．１の番組を視聴していることを示している。スキャン開始時に、視聴中であるｃｈ．１の番組を記憶部４に登録する。
ｃｈ．１の番組の視聴には、ｃｈ．１を起点としてスキャンが行われる。
図３（ｂ）は、ｃｈ．２からｃｈ．１０までのスキャン動作中に、ｃｈ．２、ｃｈ．５、ｃｈ．８を予約番組として登録した状態を示している。
記憶部４には、ｃｈ．１、ｃｈ．２、ｃｈ．５、ｃｈ．８が予約番組として登録されている。
図３（ｃ）は、スキャン動作後の状態を示しており、最後に登録した予約番組であるｃｈ．８を受信している。
図３（ｄ）は、予約変更キー１３で戻るキー操作を行った状態を示しており、ｃｈ．５を受信している。
予約変更キー１３の操作によって、予約番組として登録したｃｈ．２、ｃｈ．５、ｃｈ．８の番組を視聴することができ、図３（ｅ）に示すように、またスキャン開始時に視聴していたｃｈ．１を視聴することもできる。
図３（ｅ）は、図３（ｄ）の状態から、予約変更キー１３で戻るキー操作を２回行った状態を示している。
また、図３（ｆ）は、図３（ｅ）の状態から、予約変更キー１３で進むキー操作を１回行った状態を示している。
【００２８】
図４は本実施例における放送受信装置の表示状態を示す説明図である。
図４は、表示部３を示しており、表示部３には、スキャンキー１１として「ＳＣＡＮ」表示と、予約キー１２として「ＦＡＶＯＲＩＴＥ」表示がされている。
図４（ａ）は、現在視聴中の番組に関する情報として「７８．９ＭＨｚ」が表示されている。
図４（ｂ）は、スキャンキー１１を操作した状態を示している。「ＳＣＡＮ」表示色を変更するとともに、未だ予約番組が登録されていないことを「ｆａｖｏｒｉｔｅ：Ｎｏｔ  Ｓｅｌｅｃｔｅｄ」と表示している。
図４（ｃ）は、番組「ＡＢＣ  Ｎｅｗｓ  ８２．３ＭＨｚ」が視聴されているタイミングで予約キー１２を操作した状態を示している。「ＦＡＶＯＲＩＴＥ」表示色を変更している。
図４（ｄ）は、スキャン動作が継続している状態を示しており、「ＦＡＶＯＲＩＴＥ」表示を、図４（ｂ）と同じ状態としている。また、最後に登録した予約番組の情報として、番組名（「ｆａｖｏｒｉｔｅ：ＡＢＣ  Ｎｅｗｓ」）が表示されている。
図４（ｅ）は、スキャン動作後の状態を示しており、登録された予約番組の情報として、「ＡＢＣ  Ｎｅｗｓ  ８２．３ＭＨｚ」を表示している。
また、登録された予約番組を変更できるように、表示部３には、予約変更キー１３としての進むキー表示と戻るキー表示が出現する。
【００２９】
図５は、本実施例における放送受信装置の表示部の一例を示している。
表示部３には、スキャンキー１１として「ＳＣＡＮ」表示と、予約キー１２として「ＦＡＶＯＲＩＴＥ」表示がされるとともに、番組名と予約指示時点での受信映像を予約番組の情報３Ａとして表示している。
【００３０】
なお、本発明は、上記実施例に限ることなく、種々の変更が可能である。
例えば、上記実施例では、予約番組が無い場合には、スキャン前の番組を受信する（ステップ１２）としたが、ステップ１０において、予約番組が無い場合にはスキャンを継続するか、又はスキャン前が未受信だった場合は、最初に受信できた番組を受信してもよい。
また、上記実施例では、スキャン中に決定キー（スキャンキー１１）が操作された場合、スキャンを解除して、決定キーが操作されたタイミングでの番組を受信することとしたが、スキャン中に決定キーが操作された場合、スキャンを終了し、操作された時点で、記憶部４に最後に登録された番組を受信するようにしてもよい。
また、記憶部４には、複数の予約番組を登録可能としたが、これに限ることはなく、最後に登録した予約番組だけを記憶部４に記憶させてもよい（新たな予約番組を上書きしてもよい）。これにより、記憶部４の容量を小さくすることができる。
また、最後に登録した予約番組の情報として、番組名（図４（ｄ））および受信映像（図５）を例示したが、これに限ることはなく、例えば、放送局名や周波数であってもよく、少なくともこれらのうち１つを表示することで、最後に登録した予約番組を判別することができる。
さらに、本実施例による放送受信装置は、車載用の放送受信装置であってもよい。
【００３１】
以上のように本実施例による放送受信装置は、スキャンの終了後には、最後に登録した予約番組を受信することで、スキャン中に複数の予約番組を予約指示できるとともに、少ない操作で、所望の番組を視聴することができる。
また本実施例による放送受信装置は、複数の予約番組を記憶部４に登録し、スキャン終了後には、操作部１０の操作によって、最後に登録した予約番組に代えて他のいずれかの予約番組を受信できることで、スキャン終了後に、最後に予約指示した予約番組が気に入らない場合に、再度のスキャンを行うことなく、既に予約指示した予約番組の中から受信を行うことができる。
また本実施例による放送受信装置は、最後に登録した予約番組だけを記憶部４に記憶することで、記憶部４の容量を小さくすることができる。
また本実施例による放送受信装置は、最後に登録した予約番組の情報を表示部３に表示することで、最後に登録した予約番組を覚えておく必要が無く、現在受信している番組と最後に登録した予約番組とを比較することができる。
また本実施例による放送受信装置は、表示部３に表示する情報として、番組名、放送局名、受信映像、及び周波数のいずれかを含めたことで、最後に登録した予約番組を判別することができる。
また本実施例による放送受信装置は、スキャンの終了を、スキャンの開始時に受信していた番組までとしたことで、視聴中の番組を起点として必ず１周でスキャンを終わらせるため、スキャン時間を短縮できる。
また本実施例による放送受信装置は、車載用としたことで、運転に支障をきたす操作を減少させ、安全性を高めることができる。
【産業上の利用可能性】
【００３２】
本発明は、ラジオ（ＡＭ／ＦＭ／ＸＭ／ＤＡＢ／シリウス）やＴＶなどスキャン機能を有するオーディオ機器などの装置に適している。
【符号の説明】
【００３３】
１  チューナー
２  スピーカー
３  表示部
４  記憶部
１０  操作部
１１  スキャンキー
１２  予約キー
１３  予約変更キー
１４  終了キー
１５  チャンネルキー
２０  制御部
２１  スキャン指示検出手段
２２  番組検索手段
２３  番組検出手段
２４  視聴手段
２５  予約指示検出手段
２６  予約手段
２７  予約更新手段
【図１】
2013211659.tif 000003
【図２】
2013211659.tif 000004
【図３】
2013211659.tif 000005
【図４】
2013211659.tif 000006
【図５】
2013211659.tif 000007